(57)【要約】【課題】  複数のネットオークションサイトの価格情報を一括して抽出し、抽出した情報を携帯電話の画面においても見やすくなるように簡潔に編集して、主として携帯電話を介したネットオークションの利用者に相場情報を提供する。【解決手段】  複数のオークション運営サイトにおける入札価格情報にアクセス可能なシステムであって、システムの管理コンピュータ２は、インターネットＮを介してユーザ端末１と接続可能であり、管理コンピュータ２が、ユーザ端末１からの入札価格の検索要求を受けると、ユーザ指定のキーワードに合致する各運営サイトの入札価格を一括して検索し、検索された入札価格から相場情報を抽出し、ユーザ端末１の画面５に表示させる。管理コンピュータ２が、新品価格情報も取得可能であれば、併せて表示させる。また、ユーザ端末１から購入時金額も受信した場合は、この金額と入札価格との比較結果も画面５に表示させる。【選択図】  図１
2009265849.tif 000002
【特許請求の範囲】
【請求項１】
１以上任意個数のネットオークション運営サイトで提供された入札価格情報にアクセス可能なネットオークション相場検索システムであって、
システムの管理コンピュータは、
インタフェース部と記憶部と処理部を備え、
前記インタフェース部を介してインターネットを経由し、ユーザ端末と接続可能であり、
前記記憶部は、
前記ネットオークション運営サイトにアクセスして得られた入札価格情報を格納している入札価格情報データベースを備え、
前記処理部は、
前記ユーザ端末からの検索要求と１個以上の単語を受信する検索要求受付手段と、
受信した単語をキーワードとして前記入札価格情報データベースを参照し、入札価格の相場情報を抽出する入札価格相場取得手段と、
前記入札価格相場情報を含む画面表示用ページデータを、前記検索要求を送信してきたユーザ端末に返信する情報返信手段と、
を備えることを特徴とするネットオークション相場検索システム。
【請求項２】
前記管理コンピュータは、前記インタフェース部を介して、各種商品の新品価格情報を格納した新品価格情報データベースと接続可能であり、
前記処理部は、さらに、前記受信した単語をキーワードとして前記新品価格情報データベースから新品価格情報を抽出する新品価格取得手段を備え、
前記画面表示用ページデータには、前記の抽出された新品価格情報も含むことを特徴とする請求項１に記載のネットオークション相場検索システム。
【請求項３】
前記処理部はさらに、前記検索要求受付手段が購入時価格を受信したとき、この購入時価格と、前記入札価格相場情報とを対比し、購入時価格の鑑定を行う鑑定手段を備え、
前記画面表示用ページデータには、前記鑑定手段による鑑定結果も含むことを特徴とする請求項１または請求項２のいずれかに記載のネットオークション相場検索システム。
【請求項４】
前記ユーザ端末は、携帯電話であることを特徴とする請求項１〜３のいずれか１に記載のネットオークション相場検索システム。
【請求項５】
１以上任意個数のネットオークション運営サイトで提供された入札価格情報を格納している入札価格情報データベースを備えたネットオークションに関する相場を検索する方法であって、
この方法を提供するコンピュータは、
インタフェース部と処理部を備え、
前記インタフェース部を介してインターネットを経由し、ユーザ端末と接続可能であり、
前記処理部は、
前記ユーザ端末からの検索要求と１個以上の単語を受信するステップと、
受信した単語をキーワードとして前記入札価格情報データベースを参照し、入札価格の相場情報を抽出するステップと、
前記入札価格相場情報を含む画面表示用ページデータを、前記検索要求を送信してきたユーザ端末に返信するステップと、
を実行することを特徴とするネットオークション相場検索方法。
【請求項６】
前記管理コンピュータは、前記インタフェース部を介して、各種商品の新品価格情報を格納した新品価格情報データベースと接続可能であり、
前記処理部は、さらに、前記受信した単語をキーワードとして前記新品価格情報データベースから新品価格情報を抽出するステップを備え、
前記画面表示用ページデータには、前記の抽出された新品価格情報も含むことを特徴とする請求項５に記載のネットオークション相場検索方法。
【請求項７】
前記処理部はさらに、前記検索要求受付手段が購入時価格を受信したとき、この購入時価格と、前記入札価格相場情報とを対比し、購入時価格の鑑定を行うステップを備え、
前記画面表示用ページデータには、前記鑑定手段による鑑定結果も含むことを特徴とする請求項５または請求項６のいずれかに記載のネットオークション相場検索方法。
【請求項８】
請求項１〜４のいずれか１に記載のネットオークション相場検索システムの機能を、前記管理コンピュータに実現させるためのコンピュータプログラム。
【発明の詳細な説明】
【技術分野】
【０００１】
複数のネットオークション運営サイトの入札価格情報を一括して抽出し、抽出した情報を携帯電話の画面においても見やすくなるように編集して、主として携帯電話を介したネットオークションの利用者に入札価格の相場を提供するネットオークション相場検索システム、方法及びコンピュータプログラムに関する。
【背景技術】
【０００２】
インターネットの広範かつ急速な普及に伴い、インターネットを利用したオークション（以下「ネットオークション」）も商品売買の主要な手段の地位を占めつつある。ネットオークションを運営するサイトも複数出現し、いずれも活況を呈している。
ネットオークションに関する発明は多数特許出願されているが、本願発明と同一の発明者による特許文献１に記載の発明もその一つである。
【０００３】
【特許文献１】特開２００７−１９９７９４号公報
【発明の開示】
【発明が解決しようとする課題】
【０００４】
特開２００７−１９９７９４号公報に記載された発明は、ネットオークションに関心を持つユーザに対して、複数のネットオークションの運営サイトに関する情報を一括して提供しようとするものである。この先行発明は、個々のオークション運営サイトが、自己のサイトに関する情報しか提供していない現状において、ユーザの利便性を向上させることを目的とする。そして、サイト別・商品別に出品中の入札価格推移はもちろん、過去の入札価格なども含めたきめ細かな情報をユーザに提供している。したがって、この発明のシステムは、ネットオークションに慣れている人であって、入札価格の推移等を表す細かい数値のチェックが苦にならない人にとって、非常に有用である。
【０００５】
ところで、急成長を遂げてきたネットオークションであるが、落札した商品が届かない、といったオークション詐欺などのトラブルが多発したことから、取扱高の伸びが鈍化傾向にあると言われている。このように目下停滞気味のネットオークションを再浮上させるためには、誰でもが気楽に簡単に参加できるような仕組みの提供が望まれる。
特許文献１のシステムは、複数の運営サイトの情報を提供する点で、ネットオークションの普及に貢献しうるものである。しかしながら、提供された情報の分析・判断はあくまでユーザ次第であり、ネットオークションの初心者にとって、敬遠されるおそれがある。大部で重厚な小説よりも、携帯電話で手軽に読めるようなケータイ小説がベストセラーとなるような昨今である。ネットオークションに関するシステムも、情報の分析・判断の手間を省いてくれるならば、面倒なことを敬遠する人たちにも受け入れられるはずである。このような敷居の低いシステムがあれば、ネットオークションへの参加者が増加することが期待できる。
【０００６】
さらに、ディスカウント店や郊外のショッピングモールの出現、電子商取引などは、安価な商品の提供という点で、ネットオークションと競合する。そのため、これら新品の価格情報も同時に提供するならば、ネットオークションで中古品を買うべきか、新品を買うべきかの判断が的確にできる。
また、インターネットへの接続手段として、携帯電話を用いる人が増加している。携帯電話の狭い画面を考慮に入れると、重要な情報のみを簡潔に表示する画面となるように編集する必要もある。
【０００７】
このような点に鑑み、本願発明は、複数の運営サイトから収集した情報を加工して、ユーザにとっての最大の関心事である現在の相場を提供することを最大の目的とする。
さらに、新品価格情報の提供、携帯電話を意識した簡素な画面表示により、利用者に対する利便性を向上させることも目的とする。
【課題を解決するための手段】
【０００８】
これらの目的を実現するために、請求項１に記載の発明は、１以上任意個数のネットオークション運営サイトで提供された入札価格情報にアクセス可能なネットオークション相場検索システムであって、システムの管理コンピュータは、インタフェース部と記憶部と処理部を備え、前記インタフェース部を介してインターネットを経由し、ユーザ端末と接続可能であり、前記記憶部は、前記ネットオークション運営サイトにアクセスして得られた入札価格情報を格納している入札価格情報データベースを備え、前記処理部は、前記ユーザ端末からの検索要求と１個以上の単語を受信する検索要求受付手段と、受信した単語をキーワードとして前記入札価格情報データベースを参照し、入札価格の相場情報を抽出する入札価格相場取得手段と、前記入札価格相場情報を含む画面表示用ページデータを、前記検索要求を送信してきたユーザ端末に返信する情報返信手段と、を備えることを特徴とする。
これにより、本発明のシステムのユーザは、複数のオークション運営サイトの入札価格の相場情報を一括して取得できる。
【０００９】
また、本発明の目的を実現するために、請求項２に記載の発明は、請求項１に記載のネットオークション相場検索システムにおいて、前記管理コンピュータは、前記インタフェース部を介して、各種商品の新品価格情報を格納した新品価格情報データベースと接続可能であり、前記処理部は、さらに、前記受信した単語をキーワードとして前記新品価格情報データベースから新品価格情報を抽出する新品価格取得手段を備え、前記画面表示用ページデータには、前記の抽出された新品価格情報も含むことを特徴とする。
これにより、ユーザは、オークションに出品されている中古価格と、新品価格とを一つのサイトで比較することが可能になる。このように、商品選択の判断材料が増えるので、自分の欲する商品を、どこで、いくらで手に入れたらよいのか、適切に判断できる。これは、購買者の層及び購買量の拡大に寄与するものである。
【００１０】
さらに、本発明の目的を実現するために、請求項３に記載の発明は、請求項１又は請求項２のいずれかに記載のネットオークション相場検索システムにおいて、前記処理部はさらに、前記検索要求受付手段が購入時価格を受信したとき、この購入時価格と、前記入札価格相場情報とを対比し、購入時価格の鑑定を行う鑑定手段を備え、前記画面表示用ページデータには、前記鑑定手段による鑑定結果も含むことを特徴とする。
「購入時価格」は、もし、自分の所有している商品をオークションに出品したならば、入札価格がいくらであるかに関心のあるユーザが、その商品を購入したときの金額である。
これにより、本発明は、自分の持っている品物の価値を知りたいと考えるユーザに対し、簡易な鑑定機能も提供できる。
【００１１】
請求項４に記載の発明は、本発明の目的を実現するために、請求項１〜３のいずれか１に記載のシステムにおいて、前記ユーザ端末は、携帯電話であることを特徴とする。
これにより、ネットオークションへの参加者の裾野を広げることができる。なぜならば、携帯電話の普及は目覚しく、パソコンは持っていなくても、インターネット接続機能のある携帯電話を持っている人は極めて多数にのぼるからである。
【００１２】
前記した管理コンピュータによるネットオークションに関する相場検索機能の提供方法、及び、管理コンピュータにネットオークションに関する相場検索を実行させるためのコンピュータプログラムも、本発明である。
【発明の効果】
【００１３】
本発明によれば、複数のネットオークション運営サイトから取得した情報に基づき、入札価格の相場を把握できる。
ユーザにとって、売り手あるいは買い手のいずれで行動する場合であっても、オークションへの参加の可否を適切に判断できる。
さらに、新品価格も同時に提供することにより、一層適切な判断ができる。
【００１４】
ユーザの入力した金額と、入札価格の相場との対比を行う簡易な鑑定機能を併用することにより、システムにゲーム感覚を取り入れることができる。最近の若い人は、専ら携帯電話を利用してインターネットへ接続することが多いと言われている。そのため、ゲーム的な要素を備えることで、若い人たちをネットオークションに親しんでもらうきっかけとなる。
【発明を実施するための最良の形態】
【００１５】
図１に、本発明の実施形態のシステム構成例を示す。
ユーザ端末１はインターネットＮを介して、本システムの管理コンピュータ２に接続している。管理コンピュータ２は、インターネットＮを介して、各種のネットオークションを運営するオークション運営者のコンピュータ３（以下、「サイト運営コンピュータ３」）と接続するとともに、価格比較サイトを運営する業者の新品価格情報データベース４（以下、「新品価格ＤＢ４」）とも接続する。
なお、図１では、ユーザ端末１は１台、サイト運営コンピュータ３は２台、新品価格ＤＢ４は１台しか描かれていないが、それぞれ任意台数がインターネットＮに接続している。
【００１６】
ユーザ端末１としては、パーソナルコンピュータ、携帯電話等のインターネット接続機能のある情報処理装置であるならば、その種類は問わない。しかし、ネットオークションへの参加を促すことを主要目的とする本発明にとって、携帯電話が好ましい。
なお、ユーザには、オークションに出品しようとする者と、落札しようとする者の双方が含まれるが、自分の持っている品物の現在の価値に関心のある者も含まれる。
管理コンピュータ２は、本発明のシステムを管理する機能を有する。
サイト運営コンピュータ３は、ネットオークションを運営管理するための各種機能を実現したり、各種情報を記憶したりする機能を有する。この情報の中には、本システムで必要となる過去および現在の入札価格が含まれる。
【００１７】
ユーザ端末１は、画面表示部５と入力部６を備えている。また、ユーザ端末１には、Ｗｅｂページを閲覧するためのブラウザと呼ばれるソフトウェアが実装されている。このソフトウェアの機能によって、管理コンピュータ２から送信される画面表示用ページデータを画面表示部５に表示させたり、入力部６を介して入力された情報を管理コンピュータ２へ送信したりする。
【００１８】
管理コンピュータ２は、図２に示すように、処理部７、インタフェース部８、記憶部９を含み、他に図示しない入出力部も含む。
【００１９】
処理部７の各種機能は、コンピュータプログラムの各命令コードを図示しないＣＰＵが実行することで実現される。ただし、その機能の一部をハードウェアで分担してもかまわない。処理部７の各種機能については、後で、詳しく説明する。
【００２０】
インタフェース部８は、その機能をソフトウェアとハードウェアで分担してもよいが、いずれか一方で実現してもよい。ユーザ端末１、サイト運営コンピュータ３との情報の送受信は、インターネットＮを経由し、このインタフェース部８を介して行われる。なお、処理部７は、このインタフェース部８を制御する機能も備えている。
【００２１】
記憶部９は、記憶対象となるデータの種類に応じて、ＲＡＭ、ＲＯＭ、あるいはハードディスクなどの外部補助記憶媒体で実現する。管理コンピュータ２とは別体のコンピュータをデータベースサーバとして利用してもよい。
記憶部９には、入札価格情報データベース（以下、「入札価格ＤＢ」）１０が含まれるとともに、パラメータ変数を記憶したり、処理の途中経過の値を一時的に記憶したりする、その他の記憶部（図示せず）も含まれる。
入札価格ＤＢ１０は、１以上のネットオークション運営サイトの検索によって取得した情報を記憶しておくものである。
【００２２】
次に、処理部７の構成を、図２に従い、詳しく説明する。
処理部７の機能を、運営サイト情報取得手段１１、検索要求受付手段１２、入札価格相場取得手段１３、新品価格取得手段１４、鑑定手段１５および情報返信手段１６に分けて説明する。
【００２３】
運営サイト情報取得手段１１は、ネットオークション運営サイトからの情報の取得を制御する機能を有し、インタフェース部８を介して、１以上のサイト運営コンピュータ３から取得した情報を一括して、入札価格ＤＢ１０に記憶させる。
運営サイト情報取得手段１１による情報の取得は、ユーザ端末１からのアクセスがある都度行い、取得した情報を後述する入札価格相場取得手段１３に渡してもよい。しかし、ユーザに対する迅速な情報提供の観点からは、対象とするネットオークション運営サイトを一定の時間間隔で巡回して、最新情報を取得し、これを入札価格ＤＢ１０に保存しておくことが望ましい。入札価格ＤＢ１０には、各運営サイトから得た情報をそのまま保存しても、適宜生データを編集したうえで保存してもかまわない。ただし、商品名、メーカ名、型番などの種々の検索キーワードが入力されるので、それらを考慮したテーブル構造とする。
【００２４】
検索要求受付手段１２は、インタフェース部８を介してユーザ端末１から送信された検索要求を受信する。ユーザ端末１からは、検索キーワードとともに、当該ユーザによる購入時の金額などが送信される。なお、ユーザからの検索要求のログは、適宜記憶部９に保存するとよい。ログを分析することで、有用なマーケティング情報が得られるからである。
【００２５】
入札価格相場取得手段１３は、ユーザ端末１からの検索要求に応じて、入札価格ＤＢ１０に保存してあった情報を抽出し、１以上の運営サイトから得られた入札相場情報を“＊円〜＊円”といった簡潔な価格帯表示にまとめる。過去の落札情報の参照の有無、対象とする運営サイトなどは、記憶部９にパラメータとして保存しておけばよい。
【００２６】
新品価格取得手段１４は、ユーザ端末１から受信した検索キーワードに基づいて新品価格ＤＢ４を検索し、ユーザ端末１側に提示するための新品価格情報の編集を行う。最安値を提示するとか、どの電子商取引サイトを対象とするとかは、あらかじめ定め、記憶部９にパラメータとして保存しておけばよい。
【００２７】
鑑定手段１５は、ユーザ端末１から購入時金額が送信された場合、その金額と、入札価格相場取得手段１３によって得られた相場情報とを比較し、その結果を数段階に分けたランク等で表す。
【００２８】
入札価格相場取得手段１３による入札の相場情報、新品価格取得手段１４による新品価格情報、鑑定手段１５による鑑定結果は、情報返信手段１６によって、ユーザ端末１の画面表示部５に表示できるようにページデータの形式に編集され、インタフェース部８を介して、インターネットＮ経由でユーザ端末１に返信される。
【００２９】
以上、管理コンピュータ２を中心とした本実施形態の構成を説明した。
次に、図３の処理フローに従い、本実施形態の動作について詳しく説明する。
【００３０】
ユーザ端末１から、管理コンピュータ２に対して、本実施形態のシステムへのアクセス要求があると（ステップＳ１でＹｅｓ）、管理コンピュータ２は、図４に例示するようなＷｅｂページＰ１を記述したＨＴＭＬ文書を送信する（ステップＳ２）。ユーザ端末１にインストールされているＷｅｂブラウザは、ページＰ１を画面表示部５に表示する。
【００３１】
ユーザ端末１側では、図５に例示するように、入力部６を介して、入力欄Ａ１に検索したい商品あるいはサービス（以下、「商品等」）の名称、メーカ名、カラー、型番などの検索用キーワードＣ１を入力する。入力欄Ａ１には、少なくとも１つの単語が入力されなくてはならない。
入力欄Ａ２には、金額Ｃ２を入力するが、これは任意的入力項目であり、自分の持っている品物の価値を知りたい人は、その品物の購入時価格を入力すればよい。
入力が終わると、検索実行ボタンＢ１を押下し、検索要求をインターネットＮを介して、管理コンピュータ２に送信する（ステップＳ３）。
【００３２】
検索要求受付手段１２がユーザの要求を受信すると、入札価格相場取得手段１３は、受信した検索キーワードＣ１に従い、入札価格ＤＢ１０から必要な情報を抽出する。運営サイト別に、データが記憶されているので、各運営サイトの相場情報を抽出する。もし、キーワードＣ１に合致するデータが入札価格ＤＢ１０に存在すれば（ステップＳ４で‘データ有り‘）、あらかじめ定めた方針で、ユーザに送信するための入札相場情報Ｄ１を編集する（ステップＳ５）。例えば、ユーザの指定に該当する商品等が、現在出品中であって入札可能であれば、現時点の各運営サイトの最高値を抽出し、抽出された最高値の最小値と最大値をユーザへの提供情報とする。より具体的には、対象となる運営サイトが５つあり、現時点の各サイトの最高値が、それぞれ、１２０００円、１６０００円、８０００円、５０００円、１４０００円であるとすると、最小値は５０００円、最大値は１６０００円であるので、ユーザ端末１側に
“５０００円〜１６０００円”という数値範囲を提示するとよい。
【００３３】
もし、該当する商品等が、すでに入札が終了しているときは、各運営サイトの過去の落札価格を抽出し、抽出された最高値の最小値と最大値をユーザへの提供情報とする。
このように、本実施形態のシステムでは、複数の運営サイトにおける相場を一括して検索できるので、ユーザの手間と時間を省くことができる。
【００３４】
なお、キーワードＣ１に合致するデータが入札価格ＤＢ１０に存在しないならば（ステップＳ４で‘データ無し‘）、データが見つからない旨のエラーメッセージを表示するページデータを作成し、ユーザ端末１に送信し（ステップＳ１１），処理を終える。
【００３５】
次に、本実施形態のシステムと接続可能な新品価格ＤＢが存在すれば（ステップＳ６でＹｅｓ）、新品価格取得手段１４は、新品価格ＤＢ４から検索キーワードＣ１に従い、該当する商品等の新品価格情報Ｄ２を取得する（ステップＳ７）。複数のネットショッピングサイト等の新品価格が取得できる場合は、最安値、あるいは最安値と最高値等をユーザに新品価格情報Ｄ２として提供する。
本システムが独自に新品価格を収集してデータベース化してもよいが、価格を比較するインターネット上のサイトが存在するので、そのサイトの管理下にあるデータベースを、新品価格ＤＢとして利用するとよい。あるいは、データベースを特に前提とすることなく、ユーザからの検索要求を受けた都度、既存の価格比較サイトにアクセスをしてもよい。
【００３６】
次に、ユーザ端末１から金額情報Ｃ２を受信した場合（ステップＳ８でＹｅｓ）、鑑定手段１５は、金額情報Ｃ２と、入札価格相場取得手段１３によって取得された相場情報Ｄ１とを比較し、比較結果をランクや短いコメント文で表す（ステップＳ９）。
例えば、相場金額の下限値よりも購入時の金額が低ければ、Ａランク、コメント「賢明な買い物をしましたね。」とか、相場金額の上限値よりも購入時の金額が高ければ、Ｃランク、コメント「早く手放した方がよいかも。」とか、その中間であれば、Ｂランク、コメント「売っても良いし、買ってもよい」といった内容を鑑定結果としてユーザに提示するわけである。なお、これらのランク数やコメント文は、予め、記憶部９に記憶させておくとよい。
【００３７】
情報返信手段１６は、相場情報Ｄ１と、新品価格情報Ｄ２と、鑑定結果Ｄ３とを、Ｗｅｂページの形式に編集したＨＴＭＬ文書を作成し、インタフェース部８、インターネットＮを介してユーザ端末１に送信する（ステップＳ１０）。
図６は、ユーザ端末１へ送信されたＷｅｂページＰ２の一例である。この例のように、同一画面内で価格の比較ができる。
【００３８】
ネットオークションを生計の重要手段としている人であれば、入札価格の推移や、過去の落札価格などの詳細な情報を検討することが苦にならないかもしれない。しかし、ネットオークションの未経験者などが、気軽にネットオークションの世界をのぞいてみようといった感覚で本システムにアクセスしてきた場合は、図６に例示する程度の情報でも十分である。これらの情報だけで、ユーザは、ネットオークションで購入した方が得か、店頭やＥＣサイトで購入した方が得かを判断できる。
鑑定結果Ｄ３は、精緻でなくても、おおまかな内容でよい。親しい仲間が集まったときに、互いの持ち物の鑑定結果を競い合うといった、遊び感覚で本システムを利用してもらうことにより、ネットオークションへ親しむきっかけとなりうるからである。
【００３９】
前記の実施形態では、ユーザに対して、相場情報Ｄ１と、新品価格情報Ｄ２と、鑑定結果Ｄ３とを示した。しかし、ネットオークションにて、相場を認識した上で賢明に振舞うためには、相場情報だけで足りる。したがって、管理コンピュータ２の負荷などの諸事情を考慮して、新品価格情報の提示は省略してもよい。また、ユーザが金額情報Ｃ２を入力しない場合は、鑑定処理は行われず、鑑定結果の表示もないことは言うまでもない。
ユーザに提供する情報（Ｄ１，Ｄ２、Ｄ３）は、生データを加工するものであるが、加工の仕方として、平均値の算出、最小値と最大値の抽出等いろいろと考えられる。したがって、前記の実施形態で説明したのは、一例にすぎない。
【００４０】
また、前記の実施形態では、入札価格ＤＢ１０は管理コンピュータ２によって作成管理されるものとして説明したが、通信ネットワークを介して管理コンピュータ２と接続可能な別のコンピュータによって作成管理されてもよい。要は、本発明のシステムが、１以上のオークション運営サイトの入札価格情報を一括して検索できるならば、このデータベースはどこに、どのように設けられていてもよい。
【００４１】
さらに、前記の実施形態では、ユーザ端末として携帯電話が使われるものとして説明したが、パソコンでもよいことは言うまでもない。その場合、パソコンのディスプレイは大量の情報を表示できることから、入札価格推移グラフや新品価格推移グラフなどのより詳細な情報も併せて画面表示してもよい。
【００４２】
なお、前記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００４３】
簡潔に相場を表示することにより、ネットオークションになじみの薄い人に、ネットオークションへの関心を高め、参加を促すことができる。その結果、オークション詐欺などのトラブルで成長が鈍化しているネットオークションの再浮上に寄与することができる。
【図面の簡単な説明】
【００４４】
【図１】本実施形態のシステム構成例を示す図である。
【図２】本実施形態の管理コンピュータのブロック構成例を示す図である。
【図３】本実施形態の管理コンピュータによる処理フローを示す図である。
【図４】本実施形態にアクセスしたユーザ端末の画面に表示される初期画面例である。
【図５】本実施形態のユーザ端末の入力画面例である。
【図６】本実施形態の管理コンピュータから送信される検索結果の表示画面例である。
【符号の説明】
【００４５】
１  ユーザ端末
２  管理コンピュータ
３  サイト運営コンピュータ
４  新品価格ＤＢ
５  （ユーザ端末１の）画面表示部
６  （ユーザ端末１の）入力部
７  （管理コンピュータ２の）処理部
８  （管理コンピュータ２の）インタフェース部
９  （管理コンピュータ２の）記憶部
１０  入札価格情報データベース
１１  運営サイト情報取得手段
１２  検索要求受付手段
１３  入札価格相場取得手段
１４  新品価格取得手段
１５  鑑定手段
１６  情報返信手段
【図１】
2009265849.tif 000003
【図２】
2009265849.tif 000004
【図３】
2009265849.tif 000005
【図４】
2009265849.tif 000006
【図５】
2009265849.tif 000007
【図６】
2009265849.tif 000008